(57)【要約】【課題】高速側パスの収容効率を向上させ、より経済的で信頼性の高いＳＤＨ伝送網を実現可能なクロスコネクト設定方法を提供する。【解決手段】ファームウェアはステップＳ４のパス番号の付加において、設定中のパスに対して全ノード共通の番号であるパス番号２を自動的に付加する。オペレータが各ノードで使用するパッケージのスロット番号のみを全ノードに設定すると、ファームウェアがステップ５において高速側の未使用チャネルの検索と、パスが張れるかどうかの検討とを行い、各ノードのクロスコネクト設定を自動的に行う。【選択図】      図３
2004363965.tif 000002
【特許請求の範囲】
【請求項１】
各々高速側チャネルと低速側チャネルとを含む複数のノード装置間をパス接続してなるネットワークであって、
前記複数のノード装置各々のパス接続を示すクロスコネクト設定時に設定パスのノード装置間において前記高速側チャネルを統一せずかつ前記複数のノード装置各々の未使用チャネルを使用することを特徴とするネットワーク。
【請求項２】
前記未使用チャネルを検索する検索手段と、その検索された未使用チャネルを使用してクロスコネクト設定を行う設定手段とを前記複数のノード装置各々に含むことを特徴とする請求項１記載のネットワーク。
【請求項３】
前記検索手段による検索処理と前記設定手段による設定処理とをファームウェア制御によって行うことを特徴とする請求項２記載のネットワーク。
【請求項４】
高速側チャネルと低速側チャネルとを含み、隣接装置にパス接続されるノード装置であって、前記パス接続を示すクロスコネクトを設定する際に設定パスの装置間において前記高速側チャネルを統一せずかつ未使用チャネルを使用することを特徴とするノード装置。
【請求項５】
前記未使用チャネルを検索する検索手段と、その検索された未使用チャネルを使用してクロスコネクト設定を行う設定手段とを含むことを特徴とする請求項４記載のノード装置。
【請求項６】
前記検索手段による検索処理と前記設定手段による設定処理とをファームウェア制御によって行うことを特徴とする請求項５記載のノード装置。
【請求項７】
各々高速側チャネルと低速側チャネルとを含む複数のノード装置間をパス接続してなるネットワークのクロスコネクト設定方法であって、
前記複数のノード装置各々のパス接続を示すクロスコネクト設定時に設定パスのノード装置間において前記高速側チャネルを統一せずかつ前記複数のノード装置各々の未使用チャネルを使用することを特徴とするクロスコネクト設定方法。
【請求項８】
前記ノード装置側に、前記未使用チャネルを検索する第１のステップと、その検索された未使用チャネルを使用してクロスコネクト設定を行う第２のステップとを含むことを特徴とする請求項７記載のクロスコネクト設定方法。
【請求項９】
前記第１のステップによる検索処理と前記第２のステップによる設定処理とをファームウェア制御によって行うことを特徴とする請求項８記載のクロスコネクト設定方法。
【発明の詳細な説明】
【０００１】
【発明の属する技術分野】
本発明はネットワーク、ノード装置及びそれらに用いるクロスコネクト設定方法に関し、特にネットワークを構成する各ノード間におけるパス接続のためのクロスコネクト設定方法に関する。
【０００２】
【従来の技術】
従来、各ノード間におけるパス接続においては、図９に示すように、各ノード１−１〜１−４が２．４Ｇ（ギガ）や１０Ｇの高速側パッケージからの伝送パスを、５０Ｍ（メガ）、１５０Ｍ、６００Ｍの低速側パッケージの任意のチャネルに割当てながら分離し、また低速側から高速側に多重する機能を有している（例えば、特許文献１参照）。
【０００３】
図９においては、ノード（＃１）１−１のＷｅｓｔ方向とノード（＃２）１−２のＥａｓｔ方向とが４本の光ケーブルで接続され、ノード（＃２）１−２のＷｅｓｔ方向とノード（＃３）１−３のＥａｓｔ方向とが４本の光ケーブルで接続されている。また、ノード（＃３）１−３のＷｅｓｔ方向とノード（＃４）１−４のＥａｓｔ方向とは４本の光ケーブルで接続され、ノード（＃４）１−４のＷｅｓｔ方向とノード（＃１）１−１のＥａｓｔ方向とは４本の光ケーブルで接続されている。
【０００４】
４ファイバリング構成時に、ノード（＃２）１−２において低速側のＮ−２−１−１（Ｎｏｎ  Ｐｒｏｔｅｃｔｉｏｎ−ノードＩＤ−スロット番号−チャネル番号）から高速側Ｅａｓｔ方向のＥ−２−４−１（Ｅａｓｔ方向−ノードＩＤ−スロット番号−チャネル番号）へと接続（アド）し、ノード（＃１）１−１において高速側Ｗｅｓｔ方向のＷ−１−３−１（Ｗｅｓｔ方向−ノードＩＤ−スロット番号−チャネル番号）から高速側Ｅａｓｔ方向のＥ−１−４−１へと接続（スルー）し、ノード（＃４）１−４において高速側Ｗｅｓｔ方向のＷ−４−３−１から低速側のＮ−４−１−１へと接続（ドロップ）するパスの設定方法に関して以下に説明する。
【０００５】
初めに、オペレータはパス登録において、各ノードの低速側と高速側のチャネル番号の設定を行う（図１０ステップＳ５１）。この時、各ノード１−１〜１−４の高速側のチャネル番号は全て同じになるように設定する。
【０００６】
まず、ノード（＃２）１−２においては低速側のチャネル番号を「１」に設定し、高速側のチャネル番号を「１」に設定する。また、ノード（＃１）１−１においては高速側Ｗｅｓｔ方向のチャネル番号を「１」に設定し、高速側Ｅａｓｔ方向のチャネル番号を「１」に設定する。続いて、ノード（＃４）１−４においては高速側Ｗｅｓｔ方向のチャネル番号を「１」に設定し、低速側のチャネル番号を「１」に設定する。
【０００７】
次に、オペレータはノード連鎖情報の設定を行う（図１０ステップＳ５２）。ノード連鎖情報の設定を行うノード（以下、自ノード）をノード（＃１）１−１とすると、自ノードのシーケンス番号を「０」とし、ラインのＷｅｓｔ方向のノードに対して、シーケンシャルに番号を割付けている。このシーケンス番号に、各ノード１−１〜１−４固有の番号（以下、ノードＩＤ）を設定することで、リング全体のノード構成を設定している。
【０００８】
ここで、図１１（ａ）に示すノード連鎖情報の表を用いてノード連鎖情報の設定について説明する。例えば、自ノードをノード（＃１）１−１とする。図１１（ａ）において、シーケンス番号が「０」の場合にはノードＩＤを「１」に設定する。ノード（＃１）１−１のＷｅｓｔ方向のノードはノード（＃２）１−２であり、シーケンス番号は「１」となるので、図１１（ａ）において、シーケンス番号が「１」の場合には、ノードＩＤを「２」に設定する。
【０００９】
ノード（＃２）１−２のＷｅｓｔ方向のノードはノード（＃３）１−３であり、シーケンス番号は「２」となるので、図１１（ａ）において、シーケンス番号が「２」の場合には、ノードＩＤを「３」に設定する。
【００１０】
ノード３のＷｅｓｔ方向のノードはノード（＃４）１−４であり、シーケンス番号は「３」となるので、図１１（ａ）において、シーケンス番号が「３」の場合には、ノードＩＤを「４」に設定する。
【００１１】
上記のように、ノード連鎖情報の設定は、自ノードがノード（＃２）１−２の場合に図１１（ｂ）のように設定し、自ノードがノード（＃３）１−３の場合に図１１（ｃ）のように設定し、自ノードがノード（＃４）１−４の場合に図１１（ｄ）のように設定する。
【００１２】
次に、オペレータはアドノード／ドロップノードの設定（リング全体マップ設定）において（図１０ステップＳ５３）、ノード（＃２）１−２の低速側（Ｎ−２−１−１）からの信号を高速側（Ｅ−２−４−１）へと接続するアドノードのノードＩＤを「２」に設定し、ノード（＃４）１−４の高速側（Ｗ−４−３−１）からの信号を低速側（Ｎ−４−１−１）へと接続するドロップノードのノードＩＤを「４」に設定する。
【００１３】
ここまでの設定を行った後、オペレータはクロスコネクト設定において（図１０ステップＳ５４）、全ノードの未使用チャネルを検索した後、各ノードに対して、未使用チャネルを使用してパスの接続をする（以下、クロスコネクトとする）。
【００１４】
ノード（＃２）１−２において、低速側のＮ−２−１−１と高速側Ｅａｓｔ方向のＥ−２−４−１とをクロスコネクトし、ノード（＃１）１−１において、高速側Ｗｅｓｔ方向のＷ−１−３−１と高速側Ｅａｓｔ方向のＥ−１−４−１とをクロスコネクトし、ノード（＃４）１−４において、高速側Ｗｅｓｔ方向のＷ−４−３−１と低速側のＮ−４−１−１とをクロスコネクトする。
【００１５】
ノード（＃２）１−２のＥａｓｔ方向とノード（＃１）１−１のＷｅｓｔ方向とは光ケーブルで接続されており、またノード（＃１）１−１のＥａｓｔ方向とノード（＃４）１−４のＷｅｓｔ方向とは光ケーブルで接続されている。したがって、ノード（＃２）１−２の低速側のＮ−２−１−１からアドされた信号は、ノード（＃４）１−４の低速側のＮ−４−１−１へと導通する。
【００１６】
次に、ノード障害が発生した場合の切替えの動作について図１２を参照して説明する。ノード（＃１）１−１でノード障害が発生した場合、ファームウェアはノード（＃２）１−２において、低速側のＮ−２−１−１と接続していた高速側Ｅａｓｔ方向の現用回線（Ｅ−２−４−１）の他に、高速側Ｗｅｓｔ方向の予備回線（Ｗ−２−５−１）に対してパスを接続する（以下、リングブリッジとする）。
【００１７】
この時、ノード（＃２）１−２において、予備回線（Ｗ−２−５−１）のチャネル番号「１」は現用回線（Ｗ−２−５−１）のチャネル番号「１」と等しくなるように設定を行っている。
【００１８】
ノード（＃３）１−３において、高速側Ｅａｓｔ方向の予備回線（Ｅ−３−６−１）は高速側Ｗｅｓｔ方向の予備回線（Ｗ−３−５−１）と接続される。この時、ノード（＃３）１−３において、Ｅａｓｔ方向の予備回線の全チャネルはＷｅｓｔ方向の予備回線の全チャネルと接続される（以下、フルパススルーとする）。
【００１９】
ノード（＃４）１−４において、低速側のＮ−４−１−１とクロスコネクトしていた高速側Ｗｅｓｔ方向の現用回線（Ｗ−４−３−１）は、高速側Ｅａｓｔ方向の予備回線（Ｅ−４−６−１）に切替わる（以下、リングスイッチとする）。リングスイッチ発生時、ノード（＃４）１−４において、高速側Ｅａｓｔ方向の予備回線（Ｅ−４−６−１）のチャネル番号「１」は、リングスイッチ発生前の現用回線（Ｗ−４−３−１）のチャネル番号「１」と等しくなるように設定を行っている。
【００２０】
【特許文献１】
特開平１０−３０３８９９号公報（第４，５頁、図１）
【００２１】
【発明が解決しようとする課題】
例えば、複数のパスを設定する場合、オペレータは設定したパスの高速側チャネル番号の情報を把握しておく必要がある。複数パス設定時において、オペレータが高速側チャネル番号の情報を把握しておく必要があることを図１３を参照して説明する。
【００２２】
図１３においては、ノード（＃２）１−２が低速側のＮ−２−１−１と高速側Ｅａｓｔ方向のＥ−２−４−１とをクロスコネクトしている。図９においては、ノード（＃１）１−１が高速側Ｗｅｓｔ方向のＷ−１−３−１と高速側Ｅａｓｔ方向のＥ−１−４−１とを接続しているが、今回課題としたパスは、ノード（＃１）１−１において、高速側Ｗｅｓｔ方向のＷ−１−３−１と高速側Ｅａｓｔ方向のＥ−１−４−２とがクロスコネクトされている。
【００２３】
また、図９においては、ノード（＃４）１−４が高速側Ｗｅｓｔ方向のＷ−４−３−１と低速側のＮ−４−１−１とを接続しているが、今回課題としたパスは、ノード（＃４）１−４において、高速側Ｗｅｓｔ方向のＷ−４−３−２と低速側Ｎ−４−１−１とがクロスコネクトされている。
【００２４】
上記のようなパスを設定中に、例えば、図１４に示すように、ノード（＃１）１−１においてノード障害が発生した場合、ノード（＃２）１−２の低速側（Ｎ−２−１−１）からの信号はリングブリッジが発生し、高速側Ｅａｓｔ方向の現用回線（Ｅ−２−４−１）の他に、高速側Ｗｅｓｔ方向の予備回線（Ｗ−２−５−１）へと回避される。
【００２５】
ノード（＃３）１−３においては、高速側Ｅａｓｔ方向の予備回線（Ｅ−３−６−１）が高速側Ｗｅｓｔ方向の予備回線（Ｗ−３−５−１）と接続される。この時、Ｅａｓｔ方向の予備回線の全チャネルはＷｅｓｔ方向の予備回線の全チャネルと接続される。
【００２６】
ノード（＃４）１−４においては、対象の信号が高速側Ｅａｓｔ方向のＥ−４−６−１にくるが、オペレータが設定した現用回線の高速側Ｗｅｓｔ方向（Ｗ−４−３−２）の予備回線が高速側Ｅａｓｔ方向のＥ−４−６−１と認識できず、現用回線と同じチャネル番号２の高速側Ｅａｓｔ方向（Ｅ−４−６−２）をリングスイッチするため、主信号断となる。したがって、クロスコネクト設定を行う場合、高速側パスはノード間で同一チャネルにする必要がある。
【００２７】
上記のような高速側パスはノード間で同一チャネルに設定するという制限があるため、既設定パスの高速側チャネルと同一チャネルにパスを設定する場合、パスが張れる場合と張れない場合とがある。
【００２８】
図１５は既設定パスと同一チャネルに２番目以降のパスが張れる場合を示しており、図１６は既設定パスと同一チャネルに２番目以降のパスが張れない場合を示している。
【００２９】
図１５において、ノード（＃２）３−２は低速側のＮ−２−１−１と高速側Ｗｅｓｔ方向のＷ−２−３−１とをクロスコネクトし、ノード（＃３）３−３は高速側Ｅａｓｔ方向のＥ−３−４−１と低速側のＮ−３−２−１とをクロスコネクトするパス番号１が設定されているものとする。
【００３０】
この時、ノード（＃１）３−１において、低速側のＮ−１−１−１と高速側Ｗｅｓｔ方向のＷ−１−３−１とをクロスコネクトし、ノード（＃２）３−２において、高速側Ｅａｓｔ方向のＥ−２−４−１と低速側のＮ−２−２−１とをクロスコネクトするパス番号２を設定する場合、パス番号１とパス番号２とでは高速側のチャネルが重複しないため、設定可能となる。
【００３１】
しかしながら、図１６に示すように、ノード（＃２）３−２において、低速側のＮ−２−１−１と高速側Ｗｅｓｔ方向のＷ−２−３−１とをクロスコネクトし、ノード（＃３）３−３において、高速側Ｅａｓｔ方向のＥ−３−４−１と低速側のＮ−３−２−１とをクロスコネクトするパス番号１が設定されているものとする。
【００３２】
この時、ノード（＃１）３−１において、低速側のＮ−１−１−１と高速側Ｗｅｓｔ方向のＷ−１−３−１とをクロスコネクトし、ノード（＃４）３−４において、高速側Ｅａｓｔ方向のＥ−４−４−１と低速側のＮ−４−１−１とをクロスコネクトするたパス番号２を設定する場合、ノード（＃２）３−２において、高速側Ｗｅｓｔ方向のＷ−２−３−１はパス番号１にて使用されているため、パス番号２の高速側Ｅａｓｔ方向のＥ−２−４−１と高速側Ｗｅｓｔ方向のＷ−２−３−１との接続が行えない。
【００３３】
また、ノード（＃３）３−３において、高速側Ｅａｓｔ方向のＥ−３−４−１はパス番号１にて使用されているため、パス番号２の高速側Ｅａｓｔ方向のＥ−３−４−１と高速側Ｗｅｓｔ方向のＷ−３−３−１との接続が行えないという問題がある。
【００３４】
そこで、本発明の目的は上記の問題点を解消し、高速側パスの収容効率を向上させることができ、より経済的で信頼性の高いＳＤＨ（ＳｙｎｃｈｒｏｎｏｕｓＤｉｇｉｔａｌ  Ｈｉｅｒａｒｃｈｙ）伝送網を実現することができるネットワーク、ノード装置及びそれらに用いるクロスコネクト設定方法を提供することにある。
【００３５】
【課題を解決するための手段】
本発明によるネットワークは、各々高速側チャネルと低速側チャネルとを含む複数のノード装置間をパス接続してなるネットワークであって、
前記複数のノード装置各々のパス接続を示すクロスコネクト設定時に設定パスのノード装置間において前記高速側チャネルを統一せずかつ前記複数のノード装置各々の未使用チャネルを使用している。
【００３６】
本発明によるノード装置は、高速側チャネルと低速側チャネルとを含み、隣接装置にパス接続されるノード装置であって、前記パス接続を示すクロスコネクトを設定する際に設定パスの装置間において前記高速側チャネルを統一せずかつ未使用チャネルを使用している。
【００３７】
本発明によるクロスコネクト設定方法は、各々高速側チャネルと低速側チャネルとを含む複数のノード装置間をパス接続してなるネットワークのクロスコネクト設定方法であって、
前記複数のノード装置各々のパス接続を示すクロスコネクト設定時に設定パスのノード装置間において前記高速側チャネルを統一せずかつ前記複数のノード装置各々の未使用チャネルを使用している。
【００３８】
すなわち、本発明のクロスコネクト設定方法は、全ノード共通のパス番号を付加し、高速側未使用チャネルの検索・登録を行い、各ノードのクロスコネクト設定を自動的に行うことで、ＳＤＨ（Ｓｙｎｃｈｒｏｎｏｕｓ  Ｄｉｇｉｔａｌ  Ｈｉｅｒａｒｃｈｙ）クロスコネクトにおける高効率でのパス収容を実現している。
【００３９】
また、本発明のクロスコネクト設定方法では、障害発生時においても、全ノード共通のパス番号から該当チャネル番号を収集し、正常に予備回線への切替えを可能としている。
【００４０】
上記のように、本発明のクロスコネクト設定方法では、ノード間のチャネルを統一せず、各ノードの未使用チャネルを使用することで、図１６に示すような従来の技術では不可能なパス接続を実現することが可能となり、高速側パスの収容効率を向上させることが可能となる。
【００４１】
また、本発明のクロスコネクト設定方法では、使用する高速側のスロット番号を登録すると、各ノードの高速側の未使用チャンネルを自動的に検索し、クロスコネクト設定するため、より経済的で信頼性の高いＳＤＨ伝送網が実現可能となる。
【００４２】
【発明の実施の形態】
次に、本発明の実施例について図面を参照して説明する。図１は本発明の一実施例によるネットワークの構成を示すブロック図である。図１において、本発明の一実施例によるネットワークはノード（＃１〜＃４）１−１〜１−４をリング状に接続して構成している。
【００４３】
ノード（＃１）１−１のＷｅｓｔ方向とノード（＃２）１−２のＥａｓｔ方向とは４本の光ケーブルで接続され、ノード（＃２）１−２のＷｅｓｔ方向とノード（＃３）１−３のＥａｓｔ方向とは４本の光ケーブルで接続されている。また、ノード（＃３）１−３のＷｅｓｔ方向とノード（＃４）１−４のＥａｓｔ方向とは４本の光ケーブルで接続され、ノード（＃４）１−４のＷｅｓｔ方向とノード（＃１）１−１のＥａｓｔ方向とは４本の光ケーブルで接続されている。尚、各ノード（＃１〜＃４）１−１〜１−４にはクロスコネクト設定を行うためのファームウェアが搭載されているものとする。
【００４４】
図２は本発明の一実施例によるネットワークの動作を示すブロック図であり、図３は本発明の一実施例によるネットワークのパス接続動作を示すフローチャートであり、図４及び図５は本発明の一実施例によるネットワークのクロスコネクト設定動作を示すフローチャートであり、図６及び図７は本発明の一実施例による切替え発生時のパス接続を示すブロック図であり、図８は本発明の一実施例による切替え発生時の動作を示すフローチャートである。これら図１〜図８を参照して本発明の一実施例によるネットワークの動作について説明する。
【００４５】
以下、上記のような４ファイバリング構成時に、ノード（＃２）１−２において低速側のＮ−２−１−１から高速側Ｅａｓｔ方向のＥ−２−４−１へと接続（アド）し、ノード（＃１）１−１において高速側Ｗｅｓｔ方向のＷ−１−３−１から高速側Ｅａｓｔ方向のＥ−１−４−２へと接続（スルー）し、ノード（＃４）１−４において高速側Ｗｅｓｔ方向のＷ−４−３−２から低速側のＮ−４−２−１へと接続（ドロップ）するパスの設定方法について説明する。
【００４６】
ここで、ノード（＃１）１−１の低速側（Ｎ−１−１−１）から高速側Ｅａｓｔ（Ｅ−１−４−１）方向へと接続（アド）されたパスが、ノード（＃４）１−４の高速側Ｗｅｓｔ方向（Ｗ−４−３−１）から低速側（Ｎ−４−１−１）へと接続（ドロップ）されたパス番号１が予め設定されているものとする。
【００４７】
この時、オペレータはパス登録の設定において（図３ステップＳ１）、各ノード（＃１〜＃４）１−１〜１−４は低速側のチャネル番号の設定を行う。つまり、オペレータはノード（＃２）１−２において低速側のチャネル番号を「１」に設定し、ノード（＃４）１−４において低速側のチャネル番号を「１」に設定する。
【００４８】
次に、オペレータはノード連鎖情報の設定において（図３ステップＳ２）、上述した従来の設定と同様に、自ノードをノード（＃１）１−１とすると、自ノードのシーケンス番号を「０」とし、ラインのＷｅｓｔ方向のノードに対してシーケンシャルに番号を割付ける。このシーケンス番号に、ノードＩＤを設定することで、リング全体のノード連鎖情報を設定している。
【００４９】
ここで、図１１（ａ）に示すノード連鎖情報の表を用いて、上記のノード連鎖情報の設定について説明する。例えば、自ノードをノード（＃１）１−１とすると、このノード（＃１）１−１においては図１１（ａ）のシーケンス番号「０」に対応するノードＩＤを「１」に設定する。
【００５０】
ノード（＃１）１−１のＷｅｓｔ方向のノードはノード（＃２）１−２であり、シーケンス番号が「１」となるので、図１１（ａ）のシーケンス番号「１」に対応するノードＩＤを「２」に設定する。
【００５１】
ノード（＃２）１−２のＷｅｓｔ方向のノードはノード（＃３）１−３であり、シーケンス番号が「２」となるので、図１１（ａ）のシーケンス番号「２」に対応するノードＩＤを「３」に設定する。
【００５２】
ノード（＃３）１−３のＷｅｓｔ方向のノードはノード（＃４）１−４であり、シーケンス番号が「３」となるので、図１１（ａ）のシーケンス番号「３」に対応するノードＩＤを「４」に設定する。
【００５３】
ノード連鎖情報の設定においては、上記と同様に、自ノードがノード（＃２）１−２の場合に図１１（ｂ）のように設定し、自ノードがノード（＃３）１−３の場合に図１１（ｃ）のように設定し、自ノードがノード（＃４）の場合に図１１（ｄ）のように設定する。
【００５４】
次に、オペレータはアドノード／ドロップノード設定（リング全体マップ設定）を行う（図３ステップＳ３）。このアドノード／ドロップノードの設定（リング全体マップ設定）では、ノード（＃２）１−２の低速側（Ｎ−２−１−１）の登録箇所の設定と、ノード（＃４）１−４の低速側（Ｎ−４−１−１）の登録箇所の設定とを行う。
【００５５】
従来のアドノード／ドロップノード設定（リング全体マップ設定）では、オペレータがアドノードとドロップノードとのノードＩＤのみを設定しているのに対し、本実施例ではノードＩＤとスロット番号とチャネル番号とを設定することで、アドするパスとドロップするパスとの登録箇所を特定している。
【００５６】
上記のアドノード／ドロップノード設定（リング全体マップ設定）においては、オペレータがノード（＃２）１−２の低速側（Ｎ−２−１−１）からアドし、ノード（＃４）１−４の低速側（Ｎ−４−２−１）でドロップするパスを設定すると、ファームウェアはパス番号の付加において（図３ステップＳ４）、設定中のパスに対して、全ノード共通の番号であるパス番号２を自動的に付加する。
【００５７】
ここまでの設定を行った後、オペレータとファームウェアとがクロスコネクト設定を行う（図３ステップＳ５）。従来のクロスコネクト設定では、全ノードに対してオペレータが高速側の未使用チャネルを検索し、パスが張れるかどうかを検討した後、オペレータが全ノードのクロスコネクト設定を行っている。
【００５８】
これに対し、本実施例では、オペレータが各ノード（＃１〜＃４）１−１〜１−４で使用するパッケージのスロット番号のみを全ノードに設定した後、ファームウェアが高速側の未使用チャネルの検索と、パスが張れるかどうかの検討とを行い、各ノード（＃１〜＃４）１−１〜１−４のクロスコネクト設定を自動的に行う。
【００５９】
上記のクロスコネクト設定について図２と図４と図５とを参照して説明する。上記のステップＳ４においてパス番号の付加が実行されると、ファームウェアは同一ノード内のクロスコネクト設定かどうかを判定する（図４ステップＳ１１）。同一ノード内のクロスコネクト設定かどうかの判定は、上記のステップＳ３のアドノード／ドロップノード設定（リング全体マップ設定）において、ノード（＃２）１−２（アドノード）のノードＩＤとノード（＃４）１−４（ドロップノード）のノードＩＤとが一致しているかどうかの判定にて行う。
【００６０】
仮に、アドノード及びドロップノード各々のノードＩＤが一致している場合、ファームウェアは同一ノード内のクロスコネクト設定であると判定し、アドノード／ドロップノード設定（リング全体マップ設定）で設定した通りにクロスコネクトし（図４ステップＳ１２）、設定したクロスコネクト情報を上位監視装置２に対して報告する（図４ステップＳ１３）。
【００６１】
一方、アドノード及びドロップノード各々のノードＩＤが不一致の場合、ファームウェアは別ノードのクロスコネクト設定と判定し、設定中のノードがアドノードかどうかを判定する（図４ステップＳ１４）。設定中のノードがアドノードかどうかの判定はアドノード／ドロップノード設定（リング全体マップ設定）においてアドノードのノードＩＤと設定中のノードＩＤとを比較して行う。
【００６２】
設定したアドノードのノードＩＤ「２」と現在設定中のノードＩＤ「２」とが一致の場合、オペレータはアドノードのクロスコネクト設定（個別マップ設定）を行う（図４ステップＳ１５）。
【００６３】
このアドノードのクロスコネクト設定（個別マップ設定）において、オペレータは現在設定中のノード（＃２）１−２（アドノード）の高速側で使用するパッケージのスロット番号を「４」に設定すると、ファームウェアはノード（＃２）１−２の高速側Ｅａｓｔ方向（以下、高速側ＴＯ端点とする）のスロット番号「４」の未使用チャネル「１」を検索し（図４ステップＳ１６）、高速側ＴＯ端点の未使用チャネル「１」を登録する（図４ステップＳ１７）。
【００６４】
次に、ファームウェアはノード（＃２）１−２の高速側Ｅａｓｔ方向のＥ−２−４−１と、アドノード／ドロップノード設定（リング全体マップ設定）にて設定したノード（＃２）１−２の低速側のＮ−２−１−１とをクロスコネクトし（図４ステップＳ１８）、設定したクロスコネクト情報を上位監視装置２に対して報告する（図４ステップＳ１９）。
【００６５】
また、アドノードのノードＩＤ「２」と現在設定中のノードＩＤ「１」とが不一致の場合、ファームウェアは設定中のノードがスルーノードかどうかを判定する（図５ステップＳ２０）。
【００６６】
現在設定中のノードがスルーノードかどうかの判定は、アドノード／ドロップノード設定（リング全体マップ設定）においてアドノードのノードＩＤと現在設定中のノードＩＤとを比較し、さらにドロップノードのノードＩＤと現在設定中のノードＩＤとを比較して行う。
【００６７】
仮に、アドノードのノードＩＤと現在設定中のノードＩＤとが不一致の場合で、かつドロップノードのノードＩＤと現在設定中のノードとが不一致の場合、オペレータはスルーノードのクロスコネクト設定（個別マップ設定）を行う（図５ステップＳ２１）。
【００６８】
このスルーノードのクロスコネクト設定（個別マップ設定）において、オペレータが現在設定中のノード（＃１）１−１（スルーノード）の高速側Ｅａｓｔ方向（以下、高速側ＴＯ端点とする）で使用するパッケージのスロット番号を「４」に設定し、スルーノードの高速側Ｗｅｓｔ方向（以下、高速側Ｆｒｏｍ端点とする）で使用するパッケージのスロット番号を「３」に設定すると、ファームウェアはノード（＃２）１−２の高速側ＴＯ端点のスロット番号「４」の未使用チャネル「２」を検索し（図５ステップＳ２２）、高速側ＴＯ端点の未使用チャネル「２」を登録する（図５ステップＳ２３）。
【００６９】
次に、ファームウェアはノード（＃２）１−２（前ノード）で設定したチャネル番号「１」を上位監視装置２から収集し（図５ステップＳ２４）、ノード（＃１）１−１の高速側Ｗｅｓｔ方向（高速側Ｆｒｏｍ端点）のスロット番号「３」に対し、チャネル番号を「１」に設定する（図５ステップＳ２５）。
【００７０】
ファームウェアは上記の処理でそれぞれ設定した高速側ＴＯ端点のＥ−１−４−２と高速側Ｆｒｏｍ端点のＷ−１−３−１とをクロスコネクトし（図５ステップＳ２６）、その設定したクロスコネクト情報を上位監視装置２に対して報告する（図５ステップＳ２７）。
【００７１】
アドノードのノードＩＤ「２」と現在設定中のノードＩＤ「４」とが不一致の場合で、かつドロップノードのノードＩＤ「４」と現在設定中のノードＩＤ「４」とが一致する場合、オペレータはドロップノードのクロスコネクト設定（個別マップ設定）を行う（図５ステップＳ２８）。
【００７２】
このドロップノードのクロスコネクト設定（個別マップ設定）において、オペレータが現在設定中のノード（＃４）１−４（ドロップノード）の高速側Ｗｅｓｔ方向（以下、高速側Ｆｒｏｍ端点とする）で使用するパッケージのスロット番号を「３」に設定すると、ファームウェアはノード（＃１）１−１（前ノード）の高速側Ｔｏ端点のチャネル番号「２」を上位監視装置２から収集し（図５ステップＳ２９）、ノード（＃４）１−４のスロット番号「３」に対してチャネル番号を「２」に設定する（図５ステップＳ３０）。
【００７３】
ファームウェアはアドノード／ドロップノード設定（リング全体マップ設定）で設定したノード（＃４）１−４の低速側のＮ−４−２−１と、上記のステップＳ３０で設定したＷ−４−３−２とをクロスコネクトし（図５ステップＳ３１）、その設定したクロスコネクト情報を上位監視装置２に対して報告する（図５ステップＳ３２）。
【００７４】
次に、ノード（＃１）１−１においてノード障害が発生した場合の切替え動作について、図６〜図８を参照して説明する。ノード（＃１）１−１においてノード障害が発生すると、ファームウェアはノード（＃２）１−２がアドノードかどうかを判定する（図８ステップＳ４１）。
【００７５】
設定中のノードがアドノードの場合、従来と同様の処理動作が行われ、ノード（＃２）１−２の箇所でリングブリッジ切替えが発生し、ノード（＃２）１−２の低速側のＮ−２−１−１は現用回線（Ｗｏｒｋ）のノード（＃２）１−２のＥａｓｔ方向ＷｏｒｋのＥ−２−４−１との接続の他に、予備回線（Ｐｒｏｔｅｃｔｉｏｎ）のノード（＃２）１−２のＷｅｓｔ方向ＰｒｏｔｅｃｔｉｏｎのＷ−２−５−１とが接続され、信号が回避される（図８ステップＳ４２）。
【００７６】
この時、ファームウェアはノード（＃２）１−２のＥａｓｔ方向Ｗｏｒｋのパス番号「２」のチャネル番号「１」と同じになるように、ノード（＃２）１−２のＷｅｓｔ方向Ｐｒｏｔｅｃｔｉｏｎのチャネル番号を「１」に設定し、ノード（＃２）１−２の低速側のＮ−２−１−１と、ノード（＃２）１−２のＷｅｓｔ方向ＰｒｏｔｅｃｔｉｏｎのＷ−２−５−１とをパス接続する。
【００７７】
さらに、ファームウェアはリングブリッジ切替え後のＷｅｓｔ方向Ｐｒｏｔｅｃｔｉｏｎのパス番号「２」とチャネル番号「１」とを上位監視装置２に対して報告する（図８ステップＳ４３）。
【００７８】
ファームウェアは設定中のノードがアドノードでない場合、パス番号２の設定中のノードがスルーノードであるかどうかを判定する（図８ステップＳ４４）。ノード（＃３）１−３がスルーノードの場合、ファームウェアはノード（＃３）１−３において、Ｗｅｓｔ方向Ｐｒｏｔｅｃｔｉｏｎの全チャネルとＥａｓｔ方向Ｐｒｏｔｅｃｔｉｏｎの全チャネルとを接続し（フルパススルー切替え）（図８ステップＳ４５）、フルパススルー切替え後のＥａｓｔ方向Ｐｒｏｔｅｃｔｉｏｎのパス番号「２」とチャネル番号「１」とを上位監視装置２に対して報告する（図８ステップＳ４６）。
【００７９】
ファームウェアはノード（＃４）１−４がスルーノードでない場合、ノード（＃２）１−２（アドノード）のパス番号２のチャネル番号「１」を上位監視装置２から収集し（図８ステップＳ４７）、ノード（＃４）１−４のＥａｓｔ方向Ｐｒｏｔｅｃｔｉｏｎのチャネル番号に「１」を設定する（図８ステップＳ４８）。
【００８０】
ノード（＃４）１−４のパス番号２低速側（Ｎ−４−２−１）とノード（＃４）１−４のパス番号２の高速側Ｅａｓｔ方向Ｐｒｏｔｅｃｔｉｏｎ（Ｅ−４−６−１）とをクロスコネクトし（リングブリッジ切替え）（図８ステップＳ４９）、リングブリッジ切替え後のクロスコネクト情報を上位監視装置２に対して報告する（図８ステップＳ５０）。
【００８１】
このように、本実施例では、高速側パス設定時において、ノード間のチャネルを統一せず、各ノード（＃１〜＃４）１−１〜１−４の未使用チャネルを使用することで、図１６に示すような従来の技術では不可能なパス接続を、接続可能とすることができ、高速側パスの収容効率を向上させることができる。
【００８２】
また、本実施例では、使用する高速側のスロット番号を登録すると、各ノード（＃１〜＃４）１−１〜１−４の高速側の未使用チャネルを自動的に検索し、クロスコネクト設定するため、より経済的で信頼性の高いＳＤＨ（Ｓｙｎｃｈｒｏｎｏｕｓ  Ｄｉｇｉｔａｌ  Ｈｉｅｒａｒｃｈｙ）伝送網を実現することができる。
【００８３】
【発明の効果】
以上説明したように本発明は、上記のような構成及び動作とすることで、高速側パスの収容効率を向上させることができ、より経済的で信頼性の高いＳＤＨ伝送網を実現することができるという効果が得られる。
【図面の簡単な説明】
【図１】本発明の一実施例によるネットワークの構成を示すブロック図である。
【図２】本発明の一実施例によるネットワークの動作を示すブロック図である。
【図３】本発明の一実施例によるネットワークのパス接続動作を示すフローチャートである。
【図４】本発明の一実施例によるネットワークのクロスコネクト設定動作を示すフローチャートである。
【図５】本発明の一実施例によるネットワークのクロスコネクト設定動作を示すフローチャートである。
【図６】本発明の一実施例による切替え発生時のパス接続を示すブロック図である。
【図７】本発明の一実施例による切替え発生時のパス接続を示すブロック図である。
【図８】本発明の一実施例による切替え発生時の動作を示すフローチャートである。
【図９】従来例によるネットワークの構成を示すブロック図である。
【図１０】従来例によるネットワークのパス接続動作を示すフローチャートである。
【図１１】ノード連鎖情報の一例を示す図である。
【図１２】従来例によるネットワークの切替え後のパス接続例を示す図である。
【図１３】従来例によるネットワークのパス接続例を示す図である。
【図１４】従来例によるネットワークの切替え後のパス接続例を示す図である。
【図１５】従来例におけるクロスコネクトが可能なパス接続例を示す図である。
【図１６】従来例におけるクロスコネクトが不可能なパス接続例を示す図である。
【符号の説明】
１−１〜１−４  ノード（＃１〜＃４）
２  上位監視装置
【図１】
2004363965.tif 000003
【図２】
2004363965.tif 000004
【図３】
2004363965.tif 000005
【図４】
2004363965.tif 000006
【図５】
2004363965.tif 000007
【図６】
2004363965.tif 000008
【図７】
2004363965.tif 000009
【図８】
2004363965.tif 000010
【図９】
2004363965.tif 000011
【図１０】
2004363965.tif 000012
【図１１】
2004363965.tif 000013
【図１２】
2004363965.tif 000014
【図１３】
2004363965.tif 000015
【図１４】
2004363965.tif 000016
【図１５】
2004363965.tif 000017
【図１６】
2004363965.tif 000018